(57)【要約】【課題】情報伝達メディアにおいて、情報掲載スペースをより有効に活用し、企業に対する認知度を向上させる。【解決手段】紙媒体１００の紙面には、あらかじめ定められた地域ごとに、主要地域の名称１２０および予測気象状況を表す天気マーク１３０が記述された天気欄１１０が掲載されている。各天気マーク１３０には、対応する気象状況（晴れ、雨、曇り、雪等）をイメージさせる、スポンサーの商品または営業を表示するマーク（例えば、図形商標、図形標章、ロゴ、イメージキャラクター図案等）を含むイラストが用いられている。【選択図】  図１
2009069609.tif 000002
【特許請求の範囲】
【請求項１】
所定種別の情報が掲載される情報掲載欄が紙面に掲載された情報媒体であって、
前記情報掲載欄は、スポンサーの商品または営業を表示する図柄を含み、当該図柄により前記情報の内容を表す
ことを特徴とする情報媒体。
【請求項２】
請求項１記載の情報媒体であって、
前記情報掲載欄として、天気マークを含む天気欄が前記紙面に掲載され、
前記天気マークは、前記スポンサーの商品または営業を表示する図柄を含み、当該図柄により、予測された気象状況を表す
ことを特徴とする情報媒体。
【請求項３】
掲載情報の内容を表す画像を含むコンテンツデータを配信する情報処理装置を含む情報配信システムであって、
前記情報処理装置は、
スポンサーの商品または営業を表示するマークの画像データが、当該マークにより表示可能な気象状況に対応付けられて、少なくとも一つ格納されたデータ記憶手段と、
天気予報情報が表す予測気象状況に合致する気象状況に対応する前記画像データを前記データ記憶手段から読み出し、当該画像データが表す前記マークを表示させるためのＷｅｂドキュメントを生成し、当該Ｗｅｂドキュメントを前記データ記憶手段に格納する演算処理手段と、
外部からのリクエストに応じて前記Ｗｅｂドキュメントを前記データ記憶手段から読み出し、当該リクエスト発行元に当該Ｗｅｂドキュメントを返信する送受信手段と、
を有することを特徴とする情報配信システム。
【請求項４】
請求項３記載の情報配信システムであって、
前記データ記憶手段には、前記スポンサーのＷｅｂページのＵＲＬが、前記画像データに対応付けて格納されており、
前記演算手段は、前記画像データとともに、当該画像データに対応付けられているＵＲＬを前記データ記憶手段から読み出し、当該ＵＲＬへのリンクが設定された前記マークを表示するための前記Ｗｅｂドキュメントを生成する
ことを特徴とする情報配信システム。
【発明の詳細な説明】
【技術分野】
【０００１】
本発明は、新聞、雑誌、Ｗｅｂページ等の情報伝達メディアに掲載される天気欄を利用して、企業に対する認知度を向上させる広告技術に関する。
【背景技術】
【０００２】
例えば新聞の一面等に掲載される天気欄には、主要地点等の向こう一週間の各曜日について予測された気象状況が記述されている。この天気欄では、晴れ、曇り、雨、雪、雷等といった天気予報がイラストで表現されていることが多い。このようなイラストが用いられているため、ユーザは、各曜日の天気予報を一見して把握することができる。
【０００３】
なお、このような天気欄は、新聞だけでなく、Ｗｅｂページ等の他の情報伝達メディアに掲載されていることもある。
【非特許文献１】”全国主要地点の週間天気予報”、[online]、平成１９年９月１３日、気象庁、[平成１９年９月１３日検索]、インターネット＜ＵＲＬ：http:／／ｗｗｗ．ｊｍａ．ｇｏ．ｊｐ／ｊｐ／ｗｅｅｋ／＞
【発明の開示】
【発明が解決しようとする課題】
【０００４】
上記従来の天気欄を設けるには一定のスペースをさく必要がある一方、情報伝達メディア上のスペースは限られている。
【０００５】
ところで、情報伝達メディアを参照するユーザは、その掲載情報のなかから企業等の広告をスキップする傾向にある。
【０００６】
本発明は、上記事情にかんがみてなされたものであり、その目的は、情報伝達メディアにおいて、情報掲載スペースをより有効に活用し、企業に対する認知度を向上させる広告技術を提供することにある。
【課題を解決するための手段】
【０００７】
上記課題を解決するため、本発明では、所定種別の情報が掲載される情報掲載欄に、前記情報の内容を表す図柄を配置し、その図柄で、スポンサーの商品または営業を重畳的に表示する。
【０００８】
例えば、本発明は、
所定種別の情報が掲載される情報掲載欄が紙面に掲載された情報媒体であって、
前記情報掲載欄は、スポンサーの商品または営業を表示する図柄を含み、当該図柄により前記情報の内容を表示する。例えば、所定種別の情報は、天気予報等であってもよい。
【０００９】
また、本発明は、
掲載情報の内容を表す画像を含むコンテンツデータを配信する情報処理装置を含む情報配信システムであって、
前記情報処理装置は、
スポンサーの商品または営業を表示するマークの画像データが、当該マークにより表示可能な気象状況に対応付けられて、少なくとも一つ格納されたデータ記憶手段と、
天気予報情報が表す予測気象状況に合致する気象状況に対応する前記画像データを前記データ記憶手段から読み出し、当該画像データが表す前記マークを表示させるためのＷｅｂドキュメントを生成し、当該Ｗｅｂドキュメントを前記データ記憶手段に格納する演算処理手段と、
外部からのリクエストに応じて前記Ｗｅｂドキュメントを前記データ記憶手段から読み出し、当該リクエスト発行元に当該Ｗｅｂドキュメントを返信する送受信手段と、
を有することを特徴とする情報配信システムを提供する。
【発明の効果】
【００１０】
本発明によれば、情報伝達メディアにおいて、例えば、参照頻度の高い情報掲載スペースに固定される記号を、それが本来伝達する情報とは別の広告情報の伝達手段としても有効に活用することができる。これにより、企業に対する認知度を向上させることができる。
【発明を実施するための最良の形態】
【００１１】
以下、添付の図面を参照しながら、本発明に係る実施の一形態について説明する。
【００１２】
まず、本実施の形態に係る情報媒体の概略構成について説明する。ここでは、ユーザが視覚で内容を認識可能な生活情報を掲載することができる情報媒体の一例として、新聞、雑誌等の紙媒体を挙げることとする。
【００１３】
図１に示すように、本実施の形態に係る紙媒体１００の紙面には、あらかじめ定められた地域（例えば、府県予報区、府県予報区内の一次細分区域等：以下、主要地域と呼ぶ）ごとに、主要地域の名称１２０および午前午後の予測気象状況を図柄で表すマーク（以下、天気マーク）１３０が記述された天気欄１１０が掲載されている。ここで、各天気マーク１３０には、対応する気象状況（晴れ、雨、曇り、雪等）をイメージさせる、スポンサーの商品または営業を表示するマーク（例えば、図形商標、図形標章、ロゴ、イメージキャラクター図案等、以下、商品等表示マークと呼ぶ）を含むイラストが用いられている。例えば、晴れマークには、太陽をデザイン化した図案を含む商品等表示マークが用いられ、曇りマークには、雲をデザイン化した図案を含む商品等表示マークが用いられている。
【００１４】
このように、本実施の形態に係る情報媒体によれば、天気欄に記載される天気マークを、それがユーザに本来伝達しようとする予測気象状況とは別の広告情報の伝達手段としても有効に活用することができる。すなわち、参照頻度の高い生活情報が掲載された情報掲載スペースに固定される記号を、それがユーザに本来伝達しようとする生活情報とは別の内容の広告情報の伝達手段としても有効に活用することができる。したがって、情報媒体内の、限られた情報掲載スペースを有効に活用することができるとともに、情報媒体に掲載された広告情報をスキップする傾向があるユーザであっても、生活情報を介して広告情報を自然と目に入れることになるため、企業に対する認知度を向上させることができる。すなわち、参照頻度の高い情報掲載スペースに掲載される１つのマークにより、異なる内容の情報を重畳的に伝達することができるため、情報掲載スペースを節約することができるとともに、ある情報の参照を意図しているユーザにその他の情報も印象付けることができるという顕著な効果を奏する。
【００１５】
なお、本実施の形態においては、天気欄１１０に、主要地域の午前午後の予測気象状況を表す天気マークを掲載しているが、例えば、図２（Ａ）に示すように、各主要地域の向こう一週間の各曜日の予測気象状況を表す天気マークの一覧を週間天気予報として表形式で掲載してもよいし、図２（Ｂ）に示すように、各主要地域の所定の時間（例えば３時間）おきの予測気象状況を表す天気マークの一覧を時系列予報として表形式で掲載してもよい。また、本実施の形態においては、天気欄１１０内に主要地域の天気マークを一列に配列しているが、必ずしも、このようなレイアウトを採用する必要はない。例えば、主要地域を含む地図に上述の天気マーク１３０を配置した天気分布予報図が掲載された天気欄を採用してもよい。
【００１６】
ところで、以上においては、本実施の形態に係る天気欄が掲載される紙媒体を例として挙げているが、本実施の形態に係る天気欄は、例えば、放送番組コンテンツ、Ｗｅｂコンテンツ等の映像コンテンツに掲載されてもよい。以下、そのような映像コンテンツを発信する情報配信システムについて説明する。ここでは、そのような映像コンテンツの具体例としてＷｅｂコンテンツを挙げることとする。
【００１７】
図３は、本実施の形態に係る情報配信システムの概略構成図である。
【００１８】
本実施の形態に係る情報配信システムには、ネットワーク４００を介して接続された複数の情報処理装置２００，３００Ａ，．．．，３００Ｚが含まれている。これらの情報処理装置２００，３００Ａ，．．．，３００Ｚは、いずれも、ＣＰＵが、ハードディスク等の外部記憶装置からメモリ上にプログラムをロードし、それを実行するコンピュータとしての通常のハードウエア構成（ＣＰＵ、メモリ、外部記憶装置、ネットワークインタフェース、入力装置、出力装置等）を備えている。なお、各情報処理装置２００，３００Ａ，．．．，３００Ｚのプログラムは、光ディスク等の記憶媒体からハードディスクにインストールされたものであってもよいし、ネットワークを介してハードディスクにインストールされたものであってもよい。
【００１９】
さて、これらの情報処理装置のうちの、少なくとも１台の情報処理装置（以下、コンテンツ配信サーバと呼ぶ）２００は、他の情報処理装置３００Ａ，．．．，３００Ｚにコンテンツサービスを提供するＷｅｂサーバとして機能する。このようなＷｅｂサーバとしての機能を果たすため、コンテンツ配信サーバ２００は、いずれかの情報処理装置からのリクエストに応じてＷｅｂドキュメントを返信するサーバ処理部２１０、コンテンツサービスの提供に必要な各種データが格納されるデータ記憶部２３０、および、天気欄が掲載されたＷｅｂページ（以下、天気予報掲載ページ）を生成するアプリケーション部２２０、を有している。なお、これらの機能構成は、インストールされた所定のプログラム（サーバプログラム、データベースプログラム、Ｗｅｂページ生成プログラム等）の実行によってプロセスとして実現する。
【００２０】
データ記憶部２３０には、天気予報掲載ページ生成用のテンプレートファイル、および、各予測気象状況について準備されたデフォルトの天気マークの画像データの他、天気マークデータベースが格納されている。図４に、天気マークデータベースのデータ構造を概念的に示す。この天気マークデータベースには、図４に示すように、スポンサーにより提供された天気マークごとに天気マーク情報２３１が登録されている。各天気マーク情報２３１には、天気マークに割り当てられた識別情報（マークＩＤ）２３１Ａ、天気マークが使用される予測気象状況（晴れ、雨、曇り、雪等）を表す気象状況情報２３１Ｂ、天気マークの画像データ（天気マーク画像データ）２３１Ｃ、天気マークが予測気象状況に使用される時間帯を表す時間帯情報２３１Ｄ、天気マークを提供したスポンサーのＷｅｂページのＵＲＬを含むスポンサー情報２３１Ｅ、が登録されている。ここで、天気マークには、上述したように、対応する気象状況をイメージさせる、スポンサーの商品等表示マークが含まれている。
【００２１】
なお、これらの情報２３１Ａ〜２３１Ｅは、天気マーク情報２３１に含まれる情報の一例であり、必要に応じて、これらの情報２３１Ａ〜２３１Ｅ以外の情報が天気マーク情報２３１に含まれていてもよい。例えば、スポンサーの識別情報（企業名等）等が含まれていてもよい。
【００２２】
一方、他の情報処理装置（以下、クライアント端末と呼ぶ）３００Ａ，．．．，３００Ｚは、インストールされたＷｅｂブラウザプログラムの実行により、コンテンツ配信サーバ２００にコンテンツサービスの提供を要求するＷｅｂクライアントとして機能する。ここで用いられるＷｅｂブラウザは、ユーザが指定するＷｅｂドキュメントの送信をＷｅｂサーバに要求し、返信されたＷｅｂドキュメントが表すＷｅｂページをディスプレイに表示する通常のＷｅｂブラウザであれば、その種類を問われない。なお、ここでは、コンテンツ配信サーバ２００からの配信情報をブラウズするＷｅｂクライアントの例としてコンピュータを挙げているが、Ｗｅｂクライアントは、携帯電話、ＰＤＡ、ＰＨＳ等であってもよい。
【００２３】
つぎに、このような情報配信システムにおいて実行されるコンテンツサービス提供処理について説明する。ここでは、本日の午前午後の予測気象状況を天気マークで表示する天気欄をＷｅｂページに掲載する場合を例に挙げる。
【００２４】
図５に、コンテンツ配信サーバ２００によるコンテンツサービス提供処理のフローチャートを示す。
【００２５】
アプリケーション部２２０は、予め定めた時刻（例えば、気象庁による、天気予報の発表時刻）になると、ネットワーク４００を介して、予め定めた情報処理装置から、各主要地域についての本日の天気予報情報を取得する（Ｓ５００）。
【００２６】
そして、アプリケーション部２２０は、この天気予報情報から、各主要地域ごとに、午前および午後の予測気象状況データをそれぞれ読み出す。そして、各主要地域について、午前の予測気象状況データが表す予測気象状況に相当する気象状況情報２３１Ｂおよび午前の時間帯に相当する時間帯情報２３１Ｄの双方に対応付けられた天気マーク画像データ２３１Ｃおよびスポンサー情報２３１Ｅと、午後の予測気象状況データが表す予測気象状況に相当する気象状況情報２３１Ｂおよび午後の時間帯に相当する時間帯情報２３１Ｄの双方に対応付けられた天気マーク画像データ２３１Ｃおよびスポンサー情報２３１Ｅと、をデータ記憶部２３０の天気マークデータベースから読み出す。予測気象状況データが表す予測気象状況に相当する気象状況情報が天気マークデータベースに登録されていない主要地域については、その予測気象状況について予め準備されたデフォルトの天気マーク画像データをデータ記憶部２３０から読み出す（Ｓ５１０）。
【００２７】
その後、アプリケーション部２２０は、テンプレートファイルをデータ記憶部２３０から読み出し、このテンプレートファイルに基づき、各主要地域ごとに、読み出した午前午後の天気マーク画像データが表す天気マーク、および、天気予報情報に含まれる他のデータ（降水確率データ等）が表示された天気欄スペースを有する天気予報掲載ページを表示させるためのＷｅｂドキュメントを生成する（Ｓ５２０）。ここで、天気マークデータベースから天気マーク画像データが読み出された天気マークには、ともに読み出されたスポンサー情報に含まれるＵＲＬへのリンクが設定される。なお、午前および午後の予測気象状況データが共通の予測気象状況を表している場合には、午前および午後の天気マークをそれぞれ表示させるようにしてもよいし、午前午後共通の天気マークを表示させるようにしてもよい。
【００２８】
そして、アプリケーション部２２０は、このようにして作成したＷｅｂドキュメントをデータ記憶部２３０に格納する（Ｓ５３０）。
【００２９】
さて、サーバ処理部２１０は、いずれかのクライアント端末（ここでは、クライアント端末３００Ｚとする）上のＷｅｂブラウザから、天気欄掲載ページのＵＲＬを含むリクエストを受け付けると（Ｓ５４０）、このＵＲＬが示すＷｅｂドキュメントをデータ記憶部２３０から読み出し、このＷｅｂドキュメントを、クライアント端末３００Ｚに返信する（Ｓ５５０）。
【００３０】
クライアント端末３００Ｚ上のＷｅｂブラウザは、コンテンツ配信サーバ２００から返信されたＷｅｂドキュメントが表す天気欄掲載ページ、具体的には、図１の天気欄１１０と同様な天気欄が掲載された天気欄掲載ページを、出力装置（ディスプレイ）に表示させる。
【００３１】
これにより、クライアント端末３００Ｚのユーザは、必要としている天気予報を参照し、この行為を介して、スポンサーの商品等表示マークも重畳的に参照する。すなわち、上述の紙媒体と同様、限られた情報掲載スペースを有効に活用することができるとともに、掲載された広告情報をスキップする傾向があるユーザであっても、生活情報を介して広告情報を自然と目に入れることになるため、企業に対する認知度を向上させることができる。
【００３２】
また、天気マークには、対応するスポンサーのＷｅｂページへのリンクが設定されているため、ユーザを、スポンサーのＷｅｂページへ効率的に誘導することができる。
【００３３】
なお、以上においては、参照頻度が高い生活情報として天気予報を例に挙げているが、例えば、桜の開花予想、花粉予想、占い等といった、内容の理解を助けるイラストを含む、天気予報以外の生活情報の掲載欄に、その生活情報の内容をイメージさせる、スポンサーの商品等表示マークを含むイラストを配置してもよい。
【図面の簡単な説明】
【００３４】
【図１】図１は、本発明の一実施形態に係る天気欄が掲載された紙媒体（新聞）の紙面レイアウト例を示した図である。
【図２】図２は、本発明の一実施形態に係る天気欄のレイアウト例を示した図である。
【図３】図３は、本発明の一実施形態に係る情報配信システムの概略構成図である。
【図４】図４は、本発明の一実施形態に係る天気マークデータベースのデータ構造を概念的に示した図である。
【図５】図５は、本発明の一実施形態に係るコンテンツ配信サーバによるコンテンツサービス提供処理のフローチャートである。
【符号の説明】
【００３５】
１００：紙媒体、１３０：天気マーク、１１０：天気欄、２００：コンテンツ配信サーバ、２１０：サーバ処理部、２３０：データ記憶部、２２０：アプリケーション部、３００Ａ，．．．，３００Ｚ：クライアント端末、４００：ネットワーク
【図１】
2009069609.tif 000003
【図２】
2009069609.tif 000004
【図３】
2009069609.tif 000005
【図４】
2009069609.tif 000006
【図５】
2009069609.tif 000007